(57)【要約】      （修正有）【課題】内容器の取り外し時に指先を掛ける掴み部を掴み易い大きさにし、かつ掴み部を設けても容器デザインの一体感を損なうことがなく、更には、内容器の口元の高さを低く抑えて容器全体のデザインに影響を及ぼさない二重容器を提供する。【解決手段】内容物を収容する内容器３と、該内容器を収納した外容器２と、を備えた二重容器であって、該外容器２の首筒部２３には、容器体ネジ部２４が設けられ、該容器体ネジ部２４を断続ネジ構造とすることにより該首筒部２３の外周面にネジ欠部２５が設けられており、該内容器３には、外鍔状のフランジ部の端縁から環状周壁部３４が垂下設され、更に略矩形の板片の掴み部３５が延長垂下設されており、該掴み部３５は、外面に該容器体ネジ部２４と連続する形態で、該容器体ネジ部２４と同じネジ形状のスベリ止め３６を設けていることを特徴とする二重容器。【選択図】図２
2018034836.tif 000002
【特許請求の範囲】
【請求項１】
内容物を収容する内容器（３）と、該内容器を収納した外容器（２）と、を備えた二重容器であって、
該外容器（２）の首筒部（２３）には、容器体ネジ部（２４）が設けられ、該容器体ネジ部（２４）を断続ネジ構造とすることにより該首筒部（２３）の外周面にネジ欠部（２５）が設けられており、
該内容器（３）には、外鍔状のフランジ部（３３）の端縁から環状周壁部（３４）が垂下設され、更に略矩形の板片の掴み部（３５）が延長垂下設されており、
該掴み部（３５）は、外面に該容器体ネジ部（２４）と連続する形態で、該容器体ネジ部（２４）と同じネジ形状のスベリ止め（３６）を設けている
ことを特徴とする二重容器。
【請求項２】
前記ネジ欠部（２５）及び前記掴み部（３５）は、それぞれ軸線を挟んで一対に配設されている請求項１に記載の二重容器。
【請求項３】
前記首筒部（２３）の上側には、首筒部（２３）の内周面を上方に延在させた形態で口筒部（２６）が形成され、該口筒部（２６）の外周面には外容器側係止突起（２７）が突設され、
前記環状周壁部（３４）の内周面には、該外容器側係止突起（２７）に対向する位置に内容器側係止突起（３７）が突設され、
該外容器側係止突起（２７）に対し該内容器側係止突起（３７）が乗り越え、アンダーカット嵌合する請求項１又は２に記載の二重容器。
【発明の詳細な説明】
【技術分野】
【０００１】
本発明は、内容器と外容器とを組み合わせた二重容器に関するものである。
【背景技術】
【０００２】
従来から、クリーム等の内容物が収容される内容器と、該内容器を着脱自在に収納する外容器と、を備える二重容器が知られている。このような内容器は、外容器に対して出し入れ可能なレフィル容器であり、消費者によって外容器内に収納された内容器を取り外して新たな内容器に交換することで、外容器の再利用が図られる。
【０００３】
内容器（レフィル容器）の取り外し時に内容器の口元を掴み引き上げることで、外容器から取り外す機能のものが存在するが、内容器の口元が低く掴みづらい等の交換がスムーズに行えない不便さがあった（例えば、特許文献１参照）。そのため、外容器の本体容器の壁面の一部に切り欠き部を設けて内容器を掴み易くするものもある。しかしながら、外容器の壁面に切り欠き部を設けると容器デザインの一体感を損なうものであった。
【０００４】
一方、内容器の掴み部を大きくして掴み易くするために内容器の口元を高くしたものも存在するが、口元を高くしたことで全体的な容器高さが高くなりデザイン的に制約を受けるものとなってしまう。
【先行技術文献】
【特許文献】
【０００５】
【特許文献１】特開２０１１−１１６４０１号公報
【発明の概要】
【発明が解決しようとする課題】
【０００６】
本発明の目的は、上記した従来技術における問題点を解消することであり、内容器の取り外し時に指先を掛ける掴み部を掴み易い大きさにし、かつ掴み部を設けても容器デザインの一体感を損なうことがなく、更には、内容器の口元の高さを低く抑えて容器全体のデザインに影響を及ぼさない二重容器を提供することである。
【課題を解決するための手段】
【０００７】
上記課題を解決するため、本発明の主たる構成は、
内容物を収容する内容器と、該内容器を収納した外容器と、を備えた二重容器であって、
該外容器の首筒部には、容器体ネジ部が設けられ、該容器体ネジ部を断続ネジ構造とすることにより該首筒部の外周面にネジ欠部が設けられており、
該内容器には、外鍔状のフランジ部の端縁から環状周壁部が垂下設され、更に略矩形の板片の掴み部が延長垂下設されており、
該掴み部は、外面に該容器体ネジ部と連続する形態で、該容器体ネジ部と同じネジ形状のスベリ止めを設けていることを特徴とする。
【０００８】
上記主たる構成からなる二重容器では、内容器の取り外し時に指先を掛ける掴み部を掴み易い大きさに設定することができ、掴み部のスベリ止めがネジ形状であることで滑り止め効果を発揮させることができる。また、掴み部を設けてもネジ形状が連続するような構成であるため、容器デザインの一体感を保つことが可能である。
更には、内容器の口元の高さを低く抑えることができるため、容器全体のデザインに影響を及ぼすことがない。
【０００９】
また、本発明の他の構成は、ネジ欠部及び掴み部は、それぞれ軸線を挟んで一対に配設されているものである。
【００１０】
ネジ欠部及び掴み部がそれぞれ軸線を挟んで一対に配設されていることによって、ネジ欠部に掴み部を確実に嵌り込むことができ、外装蓋の開閉時及び内容器から内容物を取り出す使用時に内容器の回転を防止することが可能である。
【００１１】
また、本発明の他の構成は、首筒部の上側には、首筒部の内周面を上方に延在させた形態で口筒部が形成され、該口筒部の外周面には外容器側係止突起が突設され、
前記環状周壁部の内周面には、該外容器側係止突起に対向する位置に内容器側係止突起が突設され、
該外容器側係止突起に対し該内容器側係止突起が乗り越え、アンダーカット嵌合する。
【００１２】
外容器と内容器がアンダーカット嵌合していることによって、使用時等に内容器が外容器から脱落することを防止できる。
【発明の効果】
【００１３】
本発明は、上記した構成となっているので、以下に示す効果を奏する。
本発明の主たる構成においては、内容器の取り外し時に指先を掛ける掴み部を掴み易い大きさに設定することができ、掴み部のスベリ止めがネジ形状であることで滑り止め効果を発揮させることができる。また、掴み部を設けてもネジ形状が連続するような構成であるため、容器デザインの一体感を保つことが可能である。更には、内容器の口元の高さを低く抑えることができるため、容器全体のデザインに影響を及ぼすことがない。
また、本発明の構成においては、ネジ欠部に掴み部が嵌り込むことによって、外装蓋の開閉時及び内容器から内容物を取り出す使用時に内容器の回転を防止することが可能である。
【図面の簡単な説明】
【００１４】
【図１】本発明の二重容器の半断面図である。
【図２】二重容器から外装蓋を外した状態での正面図である。
【図３】外容器から内容器を取り外した際の正面図である。
【図４】外容器から内容器を取り外した際の側面の半断面図である。
【発明を実施するための形態】
【００１５】
以下、本発明の実施形態について図面を参照しつつ説明する。
【００１６】
図１に示すように、本発明に係る二重容器１は、クリーム等の内容物を収容した内容器３と、その内容器３を収納可能な外容器２と、外容器２に被着される外装蓋４と、を備えている。
外容器２及び内容器３は、それぞれ有底筒状に形成され、各中心軸線が共通軸上に位置するように配設されている。以下、この共通軸を軸線Ｏといい、軸線Ｏ方向に沿って後述する外容器２及び内容器３の底壁部２２、３２側を下側といい、その反対側を上側という。また軸線Ｏに直交する方向を径方向といい、軸線Ｏの回りに周回する方向を周方向という。
【００１７】
外容器２は、上端が開放された有底筒状の外装容器であり、軸線Ｏに沿って延設された略円筒形状の周壁部２１と、その周壁部２１の下側部分に設けられた底壁部２２と、を備えている。この外容器２は、例えば、ポリエステル系、ポリスチレン系、ポリオレフィン系等の合成樹脂や、ガラス又は金属等からなり、例えば射出成形、ブロー成形、プレス成形等によって成形される。
【００１８】
周壁部２１の上側には、外周面が全周に亘って縮径された首筒部２３が起立設されている。この首筒部２３の外周面に容器体ネジ部２４を設け、この容器体ネジ部２４を断続ネジ構造とすることによって、首筒部２３の外周面にネジ欠部２５を形成した。ネジ欠部２５は後述の内容器３の掴み部３５を挿入するために、首筒部２３の上部を側面視凹状に切り欠いた切欠部である。ネジ欠部２５は、首筒部２３の上端から軸線Ｏ方向に沿って下方に延在され、首筒部２３の周壁部２１のうち、内周部分を残して外周部分が切り欠かれている。すなわち、ネジ欠部２５は、平面視において径方向外側に向けて開放された凹形状となっており、ネジ欠部２５の径方向内側には、周壁部２１の内周面に沿って形成された壁部が配設されている。ネジ欠部２５は、軸線Ｏを挟んで一対の２箇所に配設されている。首筒部２３の上側には、首筒部２３の内周面を上方に延在させた形態で口筒部２６が形成され、この口筒部２６の外周面には外容器側係止突起２７が突設されている。
【００１９】
図３に示されるように、内容器３は、外容器２に対して出し入れ自在な容器であり、消費者によって適宜交換可能なレフィル容器である。内容器３の概略構成としては、軸線Ｏに沿って延設された略円筒形状の周壁部３１と、その周壁部３１の下側部分に設けられた底壁部３２と、を備えている。内容器３は、上端に開口部を有する有底筒状の内装容器であり、例えばポリエステル系、ポリスチレン系、ポリオレフィン系等の合成樹脂からなり、例えば射出成形やブロー成形等によって成形される。
【００２０】
周壁部３１の上端部には、外容器２の口筒部２６の上端面に載置して、内容器３の組付き限を設定する外鍔状のフランジ部３３が形成されている。このフランジ部３３の端縁から環状周壁部３４が垂下設され、この環状周壁部３４には内容器３を外容器２の内側に挿入したときに上記したネジ欠部２５に嵌め込まれる掴み部３５が延長垂下設されている。この掴み部３５は、環状周壁部３４の下端から軸方向に沿って垂下された略矩形の板片であり、ネジ欠部２５同様に、軸線Ｏを挟んで一対の２箇所配設されている。このように、ネジ欠部２５に嵌るように掴み部３５を設けることによって、内容器３の掴み部３５を掴み易い大きさに設定することができる。掴み部３５の外面には容器体ネジ部２４と連続する形態となるように、容器体ネジ部２４と同じネジ形状のスベリ止め３６が設けられている。このスベリ止め３６の形状を、ネジ形状とすることで、外装蓋４を外した容器使用時においてネジ部が連続しているように見えることで外観デザインの一体感を保ちつつ、掴み部３５を指先で掴んだ際の滑り止め効果を発揮させることができる。
環状周壁部３４の内周面には、外容器側係止突起２７に対向する位置に内容器側係止突起３７が突設されており、外容器側係止突起２７に対し内容器側係止突起３７が乗り越え、アンダーカット嵌合する構成であり、使用時等に内容器３が外容器２から脱落するのを防止している。
また、この内容器３の周壁部３１の外径は、外容器２の周壁部２１の内径よりも若干小さく、内容器３は外容器２の内側に隙間を空けて収納されている。なお、内容器３の周壁部３１の外径と外容器２の周壁部２１の内径とを同径としても構わない。
【００２１】
外装蓋４は、外容器２の首筒部２３に螺着される有頂筒状のオーバーキャップ体であり、軸線Ｏに対して直交に配設された円盤状の天壁部４１と、天壁部４１の端縁から垂下された円筒形状の周壁部４２と、を備えている。周壁部４２の内周面には、外容器２の容器体ネジ部２４及び内容器３のネジ形状のスベリ止め３６に螺合する外装蓋ネジ部４３が形成されている。また、外装蓋４の内側には、円盤状のパッキン５が嵌合されている。このパッキン５は、外装蓋４の天壁部４１の下面に接合されており、パッキン５の外周部が、外装蓋４の天壁部４１の下面と内容器３のフランジ部３３の上端面との間に挟み込まれてシールされ、内容器３内は密封される。
【００２２】
次に、このように構成された二重容器１の作用について説明する。
内容器３内の内容物が無くなった時に、外容器２に収容されている内容器３を新たな内容器３に付け替える際は、まず初めに図１に示される外容器２に被着されている外装蓋４を取り外す。外装蓋４を取り外した際にパッキン５も共に取り外される。
【００２３】
次に、外容器２から内容器３を取り外すために、掴み部３５を指先で掴み、内容器３を上方に引き上げる。掴み部３５を掴む際に、スベリ止め３６がネジ形状であることで指先の滑り止め効果を発揮させることができる。そして、図２に示されるように、掴み部３５に設けたスベリ止め３６が容器体ネジ部２４と同じネジ形状であることによって、ネジ部が連続しているように見えることで外観デザインの一体感を保つことが出来る。
【００２４】
内容器３を上方に引き上げると、外容器側係止突起２７と内容器側係止突起３７とのアンダーカット嵌合が外れ、図３及び図４に示されるように外容器２から内容器３が取り外される。その後、新たな内容器３を外容器２内に挿入することができる。
【００２５】
このように本発明においては、内容器３の上部（外容器２の開口部より上）を低く抑えることが出来るため、二重容器１の全体デザインに影響を及ぼすことがない。また、ネジ欠部２５に掴み部３５が嵌り込むことによって、外装蓋４の開閉時及び内容器３から内容物を取り出す使用時に内容器３の回転を防止することが可能である。
【００２６】
以上、実施例に沿って本発明の構成とその作用効果について説明したが、本発明の実施の形態は上記実施形態に限定されるものではない。
例えば上記実施形態では、内容器３を合成樹脂製としたが、例えばプレス成形等によって形成される薄肉の金属製の容器であっても構わない。
【産業上の利用可能性】
【００２７】
以上説明したように、本発明は、内容器の取り外し時の掴み部を掴み易い大きさでき、かつ掴み部を設けても容器デザインの一体感を損なうことがないため、二重容器の分野における用途展開をさらに広い領域で図ることができる。
【符号の説明】
【００２８】
１    ；  二重容器
２    ；  外容器
３    ；  内容器
４    ；  外装蓋
５    ；  パッキン
２１  ；  周壁部
２２  ；  底壁部
２３  ；  首筒部
２４  ；  容器体ネジ部
２５  ；  ネジ欠部
２６  ；  口筒部
２７  ；  外容器側係止突部
３１  ；  周壁部
３２  ；  底壁部
３３  ；  フランジ部
３４  ；  環状周壁部
３５  ；  掴み部
３６  ；  滑り止めリブ
３７  ；  内容器側係止突部
４１  ；  天壁部
４２  ；  周壁部
４３  ；  外装蓋ネジ部
Ｏ    ；  軸線
【図１】
2018034836.tif 000003
【図２】
2018034836.tif 000004
【図３】
2018034836.tif 000005
【図４】
2018034836.tif 000006